【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の手段において少なくとも第１の信号を受信することと、
第２の手段において第２の信号を受信することと
を備え、前記第２の信号は、信号フィールドを含むＮＤＰフォーマット中に構成されるウェイクアップ信号を備え、前記第２の受信手段は、アウェイク状態であるとき、アウェイク状態であるときの前記第１の受信手段より電力を消費せず、
前記第２の手段は、前記第２の信号に基づいて少なくとも１つのアクションを取るように構成され、
前記アクションは、アウェイク状態または一時休止状態に前記第１の受信手段を移行することである、方法。
【請求項２】
前記第２の信号は、ビーコン信号より小さい、請求項１に記載の方法。
【請求項３】
前記装置は、ダウンリンクデータのためにアウェイクすることおよびポーリングすることを前記送信者に通知するためにＰＳ−Ｐｏｌｌフレームを送る、請求項１に記載の方法。
【請求項４】
前記アクションは、指定された時間にアウェイク状態に前記第１の受信手段を移行することである、請求項１に記載の方法。
【請求項５】
前記装置は、前記ウェイクアップ信号が受信されたとの肯定応答を前記ページの送信者に送り、前記指定された時間は、通常のビーコンを受信するために前記次のターゲットビーコン移行時間に対応する、請求項４に記載の方法。
【請求項６】
前記アクションは、指定された時間に一時休止状態に前記第１の受信手段を移行することである、請求項１に記載の方法。
【請求項７】
前記指定された時間は、ビーコン時間であり、前記装置は、前記通常のビーコンを受信し、通常の省電力モードとして振る舞う、請求項６に記載の方法。
【請求項８】
前記指定された時間は、ビーコン時間であり、前記装置は、前記通常のビーコンを受信し、予定されない自動省電力配信モードとして振る舞う、請求項６に記載の方法。
【請求項９】
前記装置は、通常の省電力モードを使用して前記通常のビーコンを受信する、請求項６に記載の方法。
【請求項１０】
前記装置は、予定されない自動省電力配信モードを使用して前記通常のビーコンを受信する、請求項６に記載の方法。
【請求項１１】
前記第１の受信機は、前記第１および第２の受信機がアクティブ状態であるときに前記第２の受信機より約５倍（５Ｘ）より多くの電力、前記第１および第２の受信機がアクティブ状態であるときに前記第２の受信機より約１０倍（１０Ｘ）より多くの電力、前記第１および第２の受信機がアクティブ状態であるときに前記第２の受信機より約２０倍（２０Ｘ）より多くの電力、前記第１および第２の受信機がアクティブ状態であるときに前記第２の受信機より約５０倍（５０Ｘ）より多くの電力、前記第１および第２の受信機がアクティブ状態であるときに前記第２の受信機より約１００倍（１００Ｘ）より多くの電力、または前記第１および第２の受信機がアクティブ状態であるときに前記第２の受信機より約２００倍（２００Ｘ）より多くの電力、のうちの少なくとも１つより多く消費する、請求項１に記載の方法。
【請求項１２】
前記信号フィールドは、関連ＩＤ、グループＩＤ、およびバッファされたユニットインジケーションのうちの１つまたは複数を備える、請求項１に記載の方法。
【請求項１３】
前記第１の信号は、前記装置が短いページングメッセージを備える第２の信号を受信することになることを示す情報を備える、請求項１に記載の方法。
【請求項１４】
ワイヤレス通信のための装置であって、
少なくとも第１の信号を受信するための第１の手段と、
第２の信号を受信するための第２の手段と
を備え、前記第２の信号は、信号フィールドを含むＮＤＰフォーマット中に構成されるウェイクアップ信号を備え、前記第２の受信手段は、アウェイク状態であるとき、アウェイク状態であるときの前記第１の受信手段より電力を消費せず、前記第２の手段は、前記第２の信号に基づいて少なくとも１つのアクションを取るように構成され、前記アクションは、アウェイク状態または一時休止状態に前記第１の受信手段を移行することである、装置。
【請求項１５】
実行されたとき、少なくとも１つのコンピュータに、請求項１乃至１３のうちのいずれか１項に記載の方法を実行させるための実行可能命令を備える、コンピュータプログラム。
【手続補正２】
【補正対象書類名】明細書
【補正対象項目名】０１６０
【補正方法】変更
【補正の内容】
【０１６０】
[00195]上記は本開示の態様を対象とするが、本開示の他の態様およびさらなる態様は、その基本的範囲から逸脱することなく考案されてよく、その範囲は以下の特許請求の範囲によって決定される。
以下に、出願当初の特許請求の範囲に記載された発明を付記する。
［Ｃ１］
ワイヤレス通信のための装置であって、
少なくとも第１の信号を受信するように構成される第１の受信機と、
第２の信号を受信するように構成される第２の受信機を備える回路と
を備え、前記第２の信号は、信号フィールドを含むＮＤＰフォーマット中に構成されるウェイクアップ信号を備え、前記第２の受信機は、アウェイク状態であるとき、アウェイク状態であるときの前記第１の受信機より電力を消費せず、
前記回路は、前記第２の信号に基づいて少なくとも１つのアクションを取るように構成される、装置。
［Ｃ２］
前記第２の信号は、周期的間隔で受信される、Ｃ１に記載の装置。
［Ｃ３］
前記第１の信号は、少なくとも１つのビーコン信号である、Ｃ１に記載の装置。
［Ｃ４］
前記第２の信号は、ビーコン信号より少ないビットを有する、Ｃ１に記載の装置。
［Ｃ５］
前記アクションは、アウェイク状態に前記第１の受信機を移行することである、Ｃ１に記載の装置。
［Ｃ６］
前記装置は、ダウンリンクデータのためにアウェイクすることおよびポーリングすることを前記送信者に通知するためにＰＳ−Ｐｏｌｌフレームを送る、Ｃ５に記載の装置。
［Ｃ７］
前記アクションは、指定された時間にアウェイク状態に前記第１の受信機を移行することである、Ｃ１に記載の装置。
［Ｃ８］
前記第１の受信機は、前記ページ信号で指定された前記時間にアウェイク状態に移行する、Ｃ７に記載の装置。
［Ｃ９］
前記指定された時間は、ビーコン時間であり、前記装置は、前記通常のビーコンを受信し、通常の省電力モードとして振る舞う、Ｃ７に記載の装置。
［Ｃ１０］
前記指定された時間は、ビーコン時間であり、前記装置は、前記通常のビーコンを受信し、予定されない自動省電力配信モードとして振る舞う、Ｃ７に記載の装置。
［Ｃ１１］
前記装置は、前記ウェイクアップ信号が受信されたとの肯定応答を送るように構成される、Ｃ７に記載の装置。
［Ｃ１２］
前記装置は、前記指定された時間にダウンリンクデータのためにアウェイクしポーリングすることを前記送信者に通知するためにＰＳ−Ｐｏｌｌフレームを送る、Ｃ７に記載の装置。
［Ｃ１３］
前記指定された時間は、通常のビーコンを受信するために前記次のターゲットビーコン移行時間に対応する、Ｃ７に記載の装置。
［Ｃ１４］
前記装置は、通常の省電力モードを使用して前記通常のビーコンを受信する、Ｃ１３に記載の装置。
［Ｃ１５］
前記装置は、予定されない自動省電力配信モードを使用して前記通常のビーコンを受信する、Ｃ１３に記載の装置。
［Ｃ１６］
前記アクションは、一時休止状態に前記第１の受信機を移行することである、Ｃ１に記載の装置。
［Ｃ１７］
前記アクションは、指定された時間に一時休止状態に前記第１の受信機を移行することである、Ｃ１に記載の装置。
［Ｃ１８］
前記アクションは、一時休止状態に前記第２の受信機を移行することである、Ｃ１に記載の装置。
［Ｃ１９］
前記アクションは、前記第１の受信機がウェイクアップ状態に移行する前に実行される、Ｃ１に記載の装置。
［Ｃ２０］
前記アクションは、前記第１の受信機がウェイクアップ状態に移行した後に実行される、Ｃ１に記載の装置。
［Ｃ２１］
前記第２の信号は、同期情報を含む、Ｃ１に記載の装置。
［Ｃ２２］
前記第２の信号は、通信媒体状態情報を含む、Ｃ１に記載の装置。
［Ｃ２３］
前記第２の信号は、メッセージング命令を含む、Ｃ１に記載の装置。
［Ｃ２４］
前記第１の受信機は、前記第１および第２の受信機がアクティブ状態であるときに前記第２の受信機より多くの電力を消費し、前記より多くの電力は、約５倍（５Ｘ）より多くの電力、１０倍（１０Ｘ）より多くの電力、２０倍（２０Ｘ）より多くの電力、５０倍（５０Ｘ）より多くの電力、１００倍（１００Ｘ）より多くの電力または２００倍（２００Ｘ）より多くの電力である、Ｃ１に記載の装置。
［Ｃ２５］
前記信号フィールドは、関連ＩＤ、グループＩＤ、およびバッファされたユニットインジケーションのうちの１つまたは複数を備える、Ｃ１に記載の装置。
［Ｃ２６］
前記装置は、送信機をさらに備え、前記装置は、前記装置が第２の信号を受信したいことを示す要求を送信するように構成される、Ｃ１に記載の装置。
［Ｃ２７］
前記第１の信号は、前記装置が第２の信号を受信することになることを示す情報を備え、前記第２の信号は、短いページングメッセージを備える、Ｃ２６に記載の装置。
［Ｃ２８］
前記装置は、ＮＤＰページング時間間隔をセットアップするためにＴＷＴ ＩＥ（情報要素）を送るように構成される、Ｃ１に記載の装置。
［Ｃ２９］
前記ＴＷＴ ＩＥは、前記情報要素のための前記識別を示すＩＥＩＤフィールド、前記要求タイプを示すＲＴフィールド、前記ターゲットウェイク時間を示すＴＷＴフィールド、最少ウェイク継続時間を示すＭＷＤフィールド、および示された継続時間の間に要求されるウェイク間隔のためのウェイク間隔仮数を示すＷｉＭフィールドのうちの少なくとも１つを備える、Ｃ２８に記載の装置。
［Ｃ３０］
前記ＴＷＴ ＩＥは、ＮＰフィールドを備える、Ｃ２８に記載の装置。
［Ｃ３１］
前記ＴＷＴ ＩＥは、前記長さフィールドが特定の値に設定される場合、前記ＮＰフィールドの前記存在を示す長さフィールドを備える、Ｃ３０に記載の装置。
［Ｃ３２］
前記ＮＰフィールドは、前記ページングインジケーションを示すＰ−ＩＤを備える、Ｃ３０に記載の装置。
［Ｃ３３］
前記ＮＰフィールドは、部分的なＴＳＦオフセットを示すＰＴＳＦＯフィールドを備える、Ｃ３０に記載の装置。
［Ｃ３４］
前記ＮＰフィールドは、前記装置の前記アクションを定義するアクションフィールドを備える、Ｃ３０に記載の装置。
［Ｃ３５］
前記アクションフィールドによって定義された前記アクションは、ＰＳ−Ｐｏｌｌを送る前記装置のためのものである、Ｃ３４に記載の装置。
［Ｃ３６］
前記アクションフィールドによって定義された前記アクションは、パケット受信を待つ前記装置のためのものである、Ｃ３４に記載の装置。
［Ｃ３７］
前記アクションフィールドによって定義された前記アクションは、ウェイクアップし、ビーコンを受信するために待機する前記装置のためのものである、Ｃ３４に記載の装置。
［Ｃ３８］
前記アクションフィールドによって定義された前記アクションは、ウェイクアップし、配信トラフィックインジケーションメッセージビーコンを受信する前記装置のためのものである、Ｃ３４に記載の装置。
［Ｃ３９］
前記ＮＰフィールドは、前記装置がパケットの他のタイプを受信することを可能にするオフセット時間を示すＰＲＧフィールドを備える、Ｃ３０に記載の装置。
［Ｃ４０］
前記オフセットは、前記ＳＩＦＳのユニットとして計算される、Ｃ３０に記載の装置。
［Ｃ４１］
前記ＮＰフィールドは、予約ビットを備え、前記予約ビットは、前記ＮＰフィールドにおける前記１５ビットである、Ｃ４０に記載の装置。
［Ｃ４２］
ワイヤレス通信のための装置であって、
少なくとも第１の信号を受信するための第１の手段と、
第２の信号を受信するための第２の手段と
を備え、前記第２の信号は、信号フィールドを含むＮＤＰフォーマット中に構成されるウェイクアップ信号を備え、前記第２の受信手段は、アウェイク状態であるとき、アウェイク状態であるときの前記第１の受信手段より電力を消費せず、前記第２の手段は、前記第２の信号に基づいて少なくとも１つのアクションを取るように構成される、装置。
［Ｃ４３］
前記第１の受信手段は、第１の受信機を備え、前記第２の受信手段は、第２の受信機を備える、Ｃ４２に記載の装置。
［Ｃ４４］
前記第２の信号は、周期的間隔で受信される、Ｃ４２に記載の装置。
［Ｃ４５］
前記第１の信号は、少なくとも１つのビーコン信号である、Ｃ４２に記載の装置。
［Ｃ４６］
前記第２の信号は、ビーコン信号より小さい、Ｃ４２に記載の装置。
［Ｃ４７］
前記アクションは、アウェイク状態に前記第１の受信手段を移行することである、Ｃ４２に記載の装置。
［Ｃ４８］
前記装置は、ダウンリンクデータのためにアウェイクすることおよびポーリングすることを前記送信者に通知するためにＰＳ−Ｐｏｌｌフレームを送る、Ｃ４２に記載の装置。
［Ｃ４９］
前記アクションは、指定された時間にアウェイク状態に前記第１の受信手段を移行することである、Ｃ４２に記載の装置。
［Ｃ５０］
前記第１の受信手段は、前記ページ信号で指定された前記時間にアウェイク状態に移行する、Ｃ４９に記載の装置。
［Ｃ５１］
前記装置は、前記ウェイクアップ信号が受信されたとの肯定応答を送るように構成される、Ｃ４９に記載の装置。
［Ｃ５２］
前記指定された時間は、通常のビーコンを受信するために前記次のターゲットビーコン移行時間に対応する、Ｃ４９に記載の装置。
［Ｃ５３］
前記装置は、前記指定された時間にダウンリンクデータのためにアウェイクしポーリングすることを前記送信者に通知するためにＰＳ−Ｐｏｌｌフレームを送る、Ｃ４９に記載の装置。
［Ｃ５４］
前記アクションは、一時休止状態に前記第１の受信機を移行することである、Ｃ４２に記載の装置。
［Ｃ５５］
前記アクションは、指定された時間に一時休止状態に前記第１の受信機を移行することである、Ｃ５４に記載の装置。
［Ｃ５６］
前記アクションは、一時休止状態に前記第２の受信機を移行することである、Ｃ４２に記載の装置。
［Ｃ５７］
前記指定された時間は、ビーコン時間であり、前記装置は、前記通常のビーコンを受信し、通常の省電力モードとして振る舞う、Ｃ７に記載の装置。
［Ｃ５８］
前記装置は、前記通常のビーコンを受信し、予定されない自動省電力配信モードとして振る舞う、Ｃ５６に記載の装置。
［Ｃ５９］
前記装置は、通常の省電力モードを使用して前記通常のビーコンを受信する、Ｃ５６に記載の装置。
［Ｃ６０］
前記装置は、予定されない自動省電力配信モードを使用して前記通常のビーコンを受信する、Ｃ５６に記載の装置。
［Ｃ６１］
第１の受信手段は、前記指定された時間に一時休止状態に前記第１の受信機を移行する、Ｃ５６に記載の装置。
［Ｃ６２］
前記第２の信号は、同期情報を含む、Ｃ４２に記載の装置。
［Ｃ６３］
前記第２の信号は、通信媒体状態情報を含む、Ｃ４２に記載の装置。
［Ｃ６４］
前記第２の信号は、メッセージング命令を含む、Ｃ４２に記載の装置。
［Ｃ６５］
前記第１の受信機は、前記第１および第２の受信機がアクティブ状態であるときに前記第２の受信機より約５倍（５Ｘ）より多くの電力、前記第１および第２の受信機がアクティブ状態であるときに前記第２の受信機より約１０倍（１０Ｘ）より多くの電力、前記第１および第２の受信機がアクティブ状態であるときに前記第２の受信機より約２０倍（２０Ｘ）より多くの電力、前記第１および第２の受信機がアクティブ状態であるときに前記第２の受信機より約５０倍（５０Ｘ）より多くの電力、前記第１および第２の受信機がアクティブ状態であるときに前記第２の受信機より約１００倍（１００Ｘ）より多くの電力、または前記第１および第２の受信機がアクティブ状態であるときに前記第２の受信機より約２００倍（２００Ｘ）より多くの電力のうちの少なくとも１つより多く消費する、Ｃ４２に記載の装置。
［Ｃ６６］
前記信号フィールドは、関連ＩＤ、グループＩＤ、およびバッファされたユニットインジケーションのうちの１つまたは複数を備える、Ｃ４２に記載の装置。
［Ｃ６７］
前記装置は、送信機をさらに備え、前記装置は、前記装置が第２の信号を受信したいことを示す要求を送信するように構成される、Ｃ１に記載の装置。
［Ｃ６８］
前記装置は、ＮＤＰページング時間間隔をセットアップするためにＴＷＴ ＩＥ（情報要素）を送るように構成される、Ｃ１に記載の装置。
［Ｃ６９］
ワイヤレス通信のための方法であって、
少なくとも第１の信号を受信することと、
第２の信号を受信することと
を備え、前記第２の信号は、信号フィールドを含むＮＤＰフォーマット中に構成されるウェイクアップ信号を備え、前記第２の受信手段は、アウェイク状態であるとき、アウェイク状態であるときの前記第１の受信手段より電力を消費せず、
前記第２の手段は、前記第２の信号に基づいて少なくとも１つのアクションを取るように構成される、方法。
［Ｃ７０］
前記第２の信号は、周期的間隔で受信される、Ｃ６９に記載の方法。
［Ｃ７１］
前記第１の信号は、少なくとも１つのビーコン信号である、Ｃ６９に記載の方法。
［Ｃ７２］
前記第２の信号は、ビーコン信号より少ないビットを有する、Ｃ６９に記載の方法。
［Ｃ７３］
前記アクションは、アウェイク状態に前記第１の受信機を移行することである、Ｃ６９に記載の方法。
［Ｃ７４］
前記装置は、ダウンリンクデータのためにアウェイクすることおよびポーリングすることを前記送信者に通知するためにＰＳ−Ｐｏｌｌフレームを送る、Ｃ６９に記載の方法。
［Ｃ７５］
前記アクションは、指定された時間にアウェイク状態に前記第１の受信機を移行することである、Ｃ６９に記載の方法。
［Ｃ７６］
前記第１の受信手段は、前記第１の信号で指定された前記時間にアウェイク状態に移行する、Ｃ７５に記載の方法。
［Ｃ７７］
前記装置は、前記ウェイクアップ信号が受信されたとの肯定応答を前記ページの送信者に送る、Ｃ７５に記載の方法。
［Ｃ７８］
前記指定された時間は、通常のビーコンを受信するために前記次のターゲットビーコン移行時間に対応する、Ｃ７５に記載の方法。
［Ｃ７９］
前記装置は、前記指定された時間にダウンリンクデータのためにアウェイクしポーリングすることを前記送信者に通知するためにＰＳ−Ｐｏｌｌフレームを送る、Ｃ７５に記載の方法。
［Ｃ８０］
前記アクションは、一時休止状態に前記第１の受信手段を移行することである、Ｃ６９に記載の方法。
［Ｃ８１］
前記第１の受信機は、一時休止状態に移行する、Ｃ８０に記載の方法。
［Ｃ８２］
前記アクションは、指定された時間に一時休止状態に前記第１の受信手段を移行することである、Ｃ６９に記載の方法。
［Ｃ８３］
前記指定された時間は、ビーコン時間であり、前記装置は、前記通常のビーコンを受信し、通常の省電力モードとして振る舞う、Ｃ８２に記載の方法。
［Ｃ８４］
前記指定された時間は、ビーコン時間であり、前記装置は、前記通常のビーコンを受信し、予定されない自動省電力配信モードとして振る舞う、Ｃ８２に記載の方法。
［Ｃ８５］
前記装置は、通常の省電力モードを使用して前記通常のビーコンを受信する、Ｃ８２に記載の方法。
［Ｃ８６］
前記装置は、予定されない自動省電力配信モードを使用して前記通常のビーコンを受信する、Ｃ８２に記載の方法。
［Ｃ８７］
第１の受信手段は前記指定された時間に一時休止状態に移行する、Ｃ８２に記載の方法。
［Ｃ８８］
前記第２の信号は、同期情報を含む、Ｃ６９に記載の方法。
［Ｃ８９］
前記第２の信号は、通信媒体状態情報を含む、Ｃ６９に記載の方法。
［Ｃ９０］
前記第２の信号は、メッセージング命令を含む、Ｃ６９に記載の方法。
［Ｃ９１］
前記第１の受信機は、前記第１および第２の受信機がアクティブ状態であるときに前記第２の受信機より約５倍（５Ｘ）より多くの電力、前記第１および第２の受信機がアクティブ状態であるときに前記第２の受信機より約１０倍（１０Ｘ）より多くの電力、前記第１および第２の受信機がアクティブ状態であるときに前記第２の受信機より約２０倍（２０Ｘ）より多くの電力、前記第１および第２の受信機がアクティブ状態であるときに前記第２の受信機より約５０倍（５０Ｘ）より多くの電力、前記第１および第２の受信機がアクティブ状態であるときに前記第２の受信機より約１００倍（１００Ｘ）より多くの電力、または前記第１および第２の受信機がアクティブ状態であるときに前記第２の受信機より約２００倍（２００Ｘ）より多くの電力、のうちの少なくとも１つより多く消費する、Ｃ６９に記載の方法。
［Ｃ９２］
前記信号フィールドは、関連ＩＤ、グループＩＤ、およびバッファされたユニットインジケーションのうちの１つまたは複数を備える、Ｃ６９に記載の方法。
［Ｃ９３］
前記装置は、送信機をさらに備え、前記装置は、前記装置が第２の信号を受信したいことを示す要求を送信するように構成される、Ｃ６９に記載の方法。
［Ｃ９４］
前記第１の信号は、前記装置が短いページングメッセージを備える第２の信号を受信することになることを示す情報を備える、Ｃ６９に記載の方法。
［Ｃ９５］
実行されるとき、ワイヤレス通信装置に、ワイヤレス通信の方法を実行させる命令とともに符号化された非一時的コンピュータ可読媒体を備えるコンピュータプログラム製品であって、前記方法は、
少なくとも第１の信号を受信することと
第２の信号を受信することと
を備え、前記第２の信号は、信号フィールドを含むＮＤＰフォーマット中に構成されるウェイクアップ信号を備え、前記第２の受信手段は、アウェイク状態であるとき、アウェイク状態であるときの前記第１の受信手段より電力を消費せず、
前記第２の手段は、前記第２の信号に基づいて少なくとも１つのアクションを取るように構成される、コンピュータプログラム製品。
［Ｃ９６］
前記第２の信号は、周期的間隔で受信される、Ｃ９５に記載のコンピュータプログラム製品。
［Ｃ９７］
前記第１の信号は、少なくとも１つのビーコン信号である、Ｃ９５に記載のコンピュータプログラム製品。
［Ｃ９８］
前記第２の信号は、ビーコン信号より少ないビットを有する、Ｃ９５に記載のコンピュータプログラム製品。
［Ｃ９９］
前記アクションは、アウェイク状態に前記第１の受信機を移行することである、Ｃ９５に記載のコンピュータプログラム製品。
［Ｃ１００］
前記装置は、ダウンリンクデータのためにアウェイクすることおよびポーリングすることを前記送信者に通知するためにＰＳ−Ｐｏｌｌフレームを送る、Ｃ９５に記載のコンピュータプログラム製品。
［Ｃ１０１］
前記アクションは、指定された時間にアウェイク状態に前記第１の受信手段を移行することである、Ｃ９５に記載のコンピュータプログラム製品。
［Ｃ１０２］
前記第１の受信手段は、前記第１の信号で指定された前記時間にアウェイク状態に移行する、Ｃ１０１に記載のコンピュータプログラム製品。
［Ｃ１０３］
前記装置は、前記ウェイクアップ信号が受信されたとの肯定応答を前記ページの前記送信者に送る、Ｃ１０１に記載のコンピュータプログラム製品。
［Ｃ１０４］
前記指定された時間は、通常のビーコンを受信するために前記次のターゲットビーコン移行時間に対応する、Ｃ１０１に記載のコンピュータプログラム製品。
［Ｃ１０５］
前記装置は、前記指定された時間にダウンリンクデータのためにアウェイクしポーリングすることを前記送信者に通知するためにＰＳ−Ｐｏｌｌフレームを送る、Ｃ１０１に記載のコンピュータプログラム製品。
［Ｃ１０６］
前記アクションは、一時休止状態に前記第１の受信機を移行することである、Ｃ９５に記載のコンピュータプログラム製品。
［Ｃ１０７］
前記第１の受信機は、一時休止状態に移行する、Ｃ１０６に記載のコンピュータプログラム製品。
［Ｃ１０８］
前記アクションは、指定された時間に一時休止状態に前記第１の受信機を移行することである、Ｃ１０６に記載のコンピュータプログラム製品。
［Ｃ１０９］
前記指定された時間は、ビーコン時間であり、前記装置は、前記通常のビーコンを受信し、通常の省電力モードとして振る舞う、Ｃ１０８に記載のコンピュータプログラム製品。
［Ｃ１１０］
前記指定された時間は、ビーコン時間であり、前記装置は、前記通常のビーコンを受信し、予定されない自動省電力配信モードとして振る舞う、Ｃ１０８に記載のコンピュータプログラム製品。
［Ｃ１１１］
前記装置は、通常の省電力モードを使用して前記通常のビーコンを受信する、Ｃ１０８に記載のコンピュータプログラム製品。
［Ｃ１１２］
前記装置は、予定されない自動省電力配信モードを使用して前記通常のビーコンを受信する、Ｃ１０８に記載のコンピュータプログラム製品。
［Ｃ１１３］
前記第１の受信手段は、指定された時間に一時休止状態に移行する、Ｃ１０８に記載のコンピュータプログラム製品。
［Ｃ１１４］
前記第２の信号は、同期情報を含む、Ｃ９５に記載のコンピュータプログラム製品。
［Ｃ１１５］
前記第２の信号は、通信媒体状態情報を含む、Ｃ９５に記載のコンピュータプログラム製品。
［Ｃ１１６］
前記第２の信号は、メッセージング命令を含む、Ｃ９５に記載のコンピュータプログラム製品。
［Ｃ１１７］
前記第１の受信機は、前記第１および第２の受信機がアクティブ状態であるときに前記第２の受信機より約５倍（５Ｘ）より多くの電力、前記第１および第２の受信機がアクティブ状態であるときに前記第２の受信機より約１０倍（１０Ｘ）より多くの電力、前記第１および第２の受信機がアクティブ状態であるときに前記第２の受信機より約２０倍（２０Ｘ）より多くの電力、前記第１および第２の受信機がアクティブ状態であるときに前記第２の受信機より約５０倍（５０Ｘ）より多くの電力、前記第１および第２の受信機がアクティブ状態であるときに前記第２の受信機より約１００倍（１００Ｘ）より多くの電力、または前記第１および第２の受信機がアクティブ状態であるときに前記第２の受信機より約２００倍（２００Ｘ）より多くの電力、のうちの少なくとも１つより多く消費する、Ｃ９５に記載のコンピュータプログラム製品。
［Ｃ１１８］
前記信号フィールドは、関連ＩＤ、グループＩＤ、およびバッファされたユニットインジケーションのうちの１つまたは複数を備える、Ｃ９５に記載のコンピュータプログラム製品。
［Ｃ１１９］
前記装置は、送信機をさらに備え、前記装置は、前記装置が第２の信号を受信したいことを示す要求を送信するように構成される、Ｃ９５に記載のコンピュータプログラム製品。
［Ｃ１２０］
前記第１の信号は、前記装置が短いページングメッセージを備える第２の信号を受信することになることを示す情報を備える、Ｃ９５に記載のコンピュータプログラム製品。